(57)【要約】【課題】薄型の平面型ディスプレイテレビになると、空冷ファンユニットとシャーシ１との隙間及び空冷ファンユニットとバックカバー８との隙間が狭まってホコリが堆積しやすくなり、結果的にホコリのために空冷ファンユニットが回転しなくなる。【解決手段】平面型ディスプレイテレビの金属製のシャーシ１とバックカバー８の間に空冷ファン３を備える平面型ディスプレイテレビ用放熱機構において、空冷ファン３は、シャーシ１あるいはバックカバー８をモータベース部として、モータベース部に設置されるファンモータ部４と、ファンモータ部４の回転軸と同心のファン羽根２９を備え、ファン羽根２９とファンケーシングの代替であるシャーシ１あるいはバックカバー８との隙間を大きくすることにより、ホコリの堆積を防止することができる。【選択図】図１
2011166189.tif 000002
【特許請求の範囲】
【請求項１】
平面型ディスプレイテレビの金属製のシャーシとバックカバーの間に空冷ファンを備える平面型ディスプレイテレビ用放熱機構において、
前記空冷ファンは、前記シャーシあるいはバックカバーをモータベース部として、前記モータベース部に設置されるファンモータ部と、前記ファンモータ部の回転軸と同心のファン羽根を備えることを特徴とする平面型ディスプレイテレビ用放熱機構。
【請求項２】
前記シャーシと前記ファン羽根の間に配置され前記モータベース部に固定されている板状ファンケーシングと、前記ファン羽根の回転軸と垂直方向の外周を囲む外囲ファンケーシングを更に備え、
前記板状ファンケーシングは、ファン羽根の回転により空気を吸い込む吸い込み口を有することを特徴とする請求項１に記載の平面型ディスプレイテレビ用放熱機構。
【請求項３】
前記外囲ファンケーシングは、前記バックカバーの排気孔につながる送風ダクトを有することを特徴とする請求項２に記載の平面型ディスプレイテレビ用放熱機構。
【請求項４】
前記ファン羽根は、回転中心から遠心方向に空気を吐き出す遠心ファン方式であることを特徴とする請求項２に記載の平面型ディスプレイテレビ用放熱機構。
【請求項５】
前記シャーシは、前記吸い込み口に対面し、前記ファンモータ部の回転軸と同心の溝を有することを特徴とする請求項２に記載の平面型ディスプレイテレビ用放熱機構。
【発明の詳細な説明】
【技術分野】
【０００１】
本発明は、プラズマディスプレイテレビなどの平面型ディスプレイテレビ用空冷ファンがホコリ堆積により空冷ファンが回転できなくなるのを防止する平面型ディスプレイテレビ用放熱機構に関するものである。
【背景技術】
【０００２】
従来のプラズマディスプレイテレビの放熱機構は、軸流ファンを使っており、エアーフィルターを設けた吸気口からホコリの少ない空気をテレビ筐体内に取り入れ、発熱源である電気回路基板とプラズマディスプレイパネルとシャーシを冷却している（例えば、特許文献１参照）。
【０００３】
図９は特許文献１に記載された従来のプラズマディスプレイテレビの放熱機構を示すものである。従来のプラズマディスプレイテレビは、プラズマディスプレイのバックパネル１０５およびフロントパネル１０６と、シャーシ１０１と、電気回路基板１０７と、軸流ファンユニット１０２と、フロントカバー１０９と、バックカバー１０８とから構成されている。
【０００４】
シャーシ１０１は、アルミなどの金属板であり、接着剤が付いた熱伝導シートを介してプラズマディスプレイのバックパネル１０５およびフロントパネル１０６を保持している。また、シャーシ１０１は、バックパネル１０５の取り付け面と反対側の面に複数の電気回路基板１０７も保持している。シャーシ１０１とバックパネル１０５およびフロントパネル１０６と電気回路基板１０７をひとかたまりとしたものが、フロントカバー１０９と組み合わされる。さらにフロントカバー１０９は、バックカバー１０８と合わさり、プラズマディスプレイテレビの筐体を構成している。
【０００５】
バックカバー１０８は、吸気口１１８とエアーフィルター１１１と排気口１１０とビス締めボス１４５とから構成されている。
【０００６】
軸流ファンユニット１０２は、ファンモータ１０４と、ファンケーシング１４８と、ファンケーシング１４７と、ファンケーシング１３０と、ファン回転部１１２とから構成されている。軸流ファンユニット１０２は吸い込み型ファンであり、バックカバー１０８に設けられたビス締めボス１４５にビス１１９で取り付けられる。空気流れベクトル１５５で示すように、低温空気はエアーフィルター１１１経由で吸気口１１８からホコリを除去してテレビ筐体内に取り込まれる。テレビ筐体内に入った空気は電気回路基板１０７とプラズマディスプレイパネルに加熱されたシャーシ１０１を空冷し、排気口１１０から排出される。
【０００７】
ところで、プラズマディスプレイテレビおよび液晶テレビなどの平面型ディスプレイテレビは、壁掛けタイプを目指して更なる薄型化が進んでおり、現在では筐体厚みが１００ｍｍ以下のものが商品化されている。このような状況において空冷用ファンユニットも薄型化が求められている。このため、軸流ファンユニット１０２でなく遠心力を用いて送風する遠心ファンユニットを使うものがある（例えば、特許文献２参照）。
【０００８】
この理由は、従来のプラズマディスプレイテレビで使う軸流ファンユニット１０２の形状はファン羽根直径が６０〜１００ｍｍ、ファンユニットの厚みは２５〜４０ｍｍが主流であり、平面型ディスプレイテレビの更なる薄型化には不適切である。また軸流ファンユニット１０２は静圧が小さいため、テレビ筐体が薄くなり流路抵抗が増加して所望する風量が得られない。そこでファン厚みが薄く、かつ静圧が大きな遠心ファンユニットを使う場合が増えている。例えば、ファン羽根直径が６０〜１００ｍｍの場合、遠心ファンユニットの厚みは１０〜２０ｍｍであり、プラズマディスプレイテレビの薄型化として有効である。
【０００９】
図１０は遠心ファンユニット１０３を用いたプラズマディスプレイテレビの断面図である。図１１は、図１０に示したファンモータ固定部１１２の構成要素の説明図である。遠心ファンユニット１０３を用いたプラズマディスプレイテレビの構成は、図９の軸流ファンユニット１０２と比較して送風ダクト１３１が追加されている。
【００１０】
図１０の構成において遠心ファンユニット１０３は、シャーシ１０１に備えられたビス締めボス１４５にビス１１９で取り付けられる。送風ダクト１３１は、遠心ファンユニット１０３の吐き出し口に取り付けられ、遠心ファンユニット１０３から吐き出された空気をバックカバー１０８の排気口１１０に導く。空気流れベクトル１５５は、空気がエアーフィルター１１１を通して吸気口１１８からプラズマディスプレイテレビの筐体内に入り、電気回路基板１０７とシャーシ１０１を冷却して、温められた空気が排気口１１０から排出される様子を表している。
【００１１】
図９の軸流ファンユニット１０２及び図１０の遠心ファンユニット１０３のホコリ対策は、両者ともに、エアーフィルター１１１に加えて、プラズマディスプレイテレビ筐体が厚いから、シャーシ１０１と空冷ファンユニットとの隙間、バックカバー１０８と空冷ファンユニットとの隙間を大きく取る方式を用いている。
【特許文献１】特開２００７−００３８０４号公報
【特許文献２】特開２００５−３４７６７１号公報
【発明の開示】
【発明が解決しようとする課題】
【００１２】
しかしながら今日のようにプラズマディスプレイテレビなどの平面型ディスプレイテレビの更なる薄型化が進むと、前記従来の軸流ファンユニット１０２および遠心ファンユニット１０３のどちらにおいても、空冷ファンユニットとバックカバー１０８との隙間、空冷ファンユニットとシャーシ１０１との隙間が狭くなる。また、空冷ファンユニットも薄型化対応のため、空冷ファンユニット内部でファン回転部１１２と静止しているファンケーシング１４７及びファンケーシング１４８との隙間を狭くせざるをえない。従って、これらの狭隘な隙間にホコリが堆積しやすい空冷ファンユニットの構造となり、堆積したホコリによって空冷ファンユニットが回転し難いという課題が発生する。
【００１３】
そして、壁掛け用の平面型ディスプレイテレビの筐体厚みは、厚みが気にならないものとして３０ｍｍ程度と言われており、冷却ファンの厚みが２０ｍｍを越える軸流ファンユニット１０２は使用困難となっている。更に、軸流ファンユニット１０２は、ファン流入口の上流側、ファン流出口の下流側に少なくとも数ｍｍずつの開放空間を設けないとファン流入出口を閉ざされた状態に似た圧力損失が発生してファン風量が減りファンの空冷能力が低下してしまう。ゆえに、平面型ディスプレイテレビの筐体厚みが３０ｍｍ以下になると、軸流ファンユニットを平面型ディスプレイテレビに用いることは、構造的観点および空冷能力観点から適さないことがわかる。
【００１４】
加えて、平面型ディスプレイテレビは筐体厚みが３０ｍｍになると、主な発熱体であるプラズマディスプレイパネルと電気回路基板１０７の距離が短くなり、テレビ筐体の単位体積あたりの発熱密度が大きくなって、従来の厚みのプラズマディスプレイテレビよりも高温になる。また、エアーフィルター１１１は厚みが１〜２ｍｍあり、流路抵抗として無視できなくなり、放熱設計の観点でもエアーフィルター１１１は使えなくなる。したがって平面型ディスプレイテレビの筐体厚みを薄くするとき、空冷ファンユニットは、ファン厚みを薄くしながらファン空冷能力を向上させ、かつホコリに強いこと、という新たな課題が発生している。
【００１５】
こういった課題解決のため、遠心ファンユニット１０３を適用し、ファンモータ１０４を半径方向に大きくして強力なファンモータを設計することで静圧を高めることが考えられる。
【００１６】
しかしファンモータ半径が大きくなると、図１１からファン羽根１２９も半径方向に大きくなることが推測できる。この状態で遠心ファンユニット１０３のファン羽根１２９がファンケーシング１４８に取り付けられるとき、ファン回転部１１２と各ファンケーシングとの隙間およびファンケーシング１４８に対する回転軸１２８の取り付け傾斜角のバラツキ公差が従来技術と同じだと、ファン羽根１２９がファンケーシング１４８、ファンケーシング１６８と接触する可能性が高まる。また、軸流ファン１０２と同様に、平面型ディスプレイテレビではファン羽根１２９とファンケーシング１４８及びファンケーシング１６８との隙間は大きく出来ないので、ファン羽根１２９とファンケーシングの狭い隙間にホコリが堆積しやすくなっている。
【００１７】
本発明は、前記従来の課題を解決するもので、平面型ディスプレイテレビにおいて、空冷能力を維持しながら、エアーフィルター１１１を使わないでホコリの堆積を防止する平面型ディスプレイ用放熱機構の提供を目的とする。
【課題を解決するための手段】
【００１８】
前記従来の課題を解決するために、平面型ディスプレイテレビの金属製のシャーシとバックカバーの間に空冷ファンを備える平面型ディスプレイテレビ用放熱機構において、前記空冷ファンは、前記シャーシあるいはバックカバーをモータベース部として、前記モータベース部に設置されるファンモータ部と、前記ファンモータ部の回転軸と同心のファン羽根を備えている。
【００１９】
本構成により、ファンケーシングが不要なため、ファン羽根とファンケーシングの代替であるシャーシあるいはバックカバーとの隙間を大きく取れる。
【発明の効果】
【００２０】
本発明のプラズマディスプレイテレビ用空冷ファンユニットによれば、ファン羽根とファンケーシングの代替であるシャーシあるいはバックカバーとの隙間を大きくすることができるので、エアーフィルターがなくてもホコリの堆積を防止することができる。
【００２１】
このように本発明の構成によれば、ホコリ堆積防止に優れた平面型ディスプレイテレビ用放熱機構を提供できる。
【発明を実施するための最良の形態】
【００２２】
以下本発明を実施するための最良の形態について、図面を参照しながら説明する。
【００２３】
（実施の形態１）
本発明の実施の形態１について図１〜図６を用いて説明する。
【００２４】
図１は本発明の実施の形態１における遠心ファンユニットを用いたプラズマディスプレイテレビの断面図である。図２は本発明の実施の形態１における遠心ファンユニットの構成要素を説明する断面図である。図３は本発明の実施の形態１における遠心ファンユニットのファンモータを構成に分解した斜視図である。図４は本発明の実施の形態１における遠心ファンユニットのファン回転部を構成に分解した斜視図である。図５は本発明の実施の形態１における遠心ファンユニットと送風ダクトとファンケーシングとをシャーシに組み立てる前の斜視図である。図６は本発明の実施の形態１における遠心ファンユニットを組立ててバックカバー８をシャーシに取り付けるときの斜視図である。
【００２５】
まず、プラズマディスプレイテレビの構成について説明する。図１のように、プラズマディスプレイテレビは、保護ガラス１３と、フロントカバー９と、バックカバー８と、シャーシ１と、フロントパネル６と、バックパネル５と、電気回路基板７と、外囲ファンケーシング３０と、送風ダクト３１と、スペーサー４４と、遠心ファンユニット３とから構成されている。
【００２６】
シャーシ１は、アルミなどの金属製で、板厚は２ｍｍである。シャーシ１には、プラズマディスプレイパネルのバックパネル５とフロントパネル６の２枚が接着剤の付いた熱伝導シート（図は省略）で取り付けられている。シャーシ１においてバックカバー８の面には、溝深さが０．７ｍｍの円環状形状の溝３２が備えられている。溝深さ０．７ｍｍはシャーシ１の板厚の半分以下であり、強度的に問題ない。溝３２はシャーシ１の成型時に凹型によりプレス加工される。図５のように、溝３２の円環の中心軸と、遠心ファンユニット３の回転中心とは同心になるようにシャーシ１上に配置されている。また、シャーシ１は、発熱しているフロントパネル６およびバックパネル５と、電気回路基板７とに挟まれて高温状態に加熱されている。
【００２７】
図２においてシャーシ１は、ファンモータ４を固定するためにビス締めボス４１を備えている。ビス締めボス４１は、シャーシ１に予め設けた予備孔に向かって、先端にローレット加工した段つきボスをカシメ工法で固定して形成する（図は省略）。他にもシャーシ１には、カシメ工法で、送風ダクト固定用のビス締めボス４０とファンケーシング固定用のビス締めボス４２が備えられている。前記の３種類のビス締めボス４１、４２、４３の材質はアルミであり、ビス締め作業用に予備孔が彫られている。図２ではビス締めボス４０、４１、４２をシャーシ１と一体成型としているが、平らなシャーシ１の上の追加部品としてもよい。
【００２８】
アルミ製のフロントカバー９は、ビス１９にてシャーシ１と固定されている。また、フロントカバー９には、保護ガラス１３が補助金具（図は省略）にて取り付けられている。
【００２９】
バックカバー８は鉄などの金属製で、フロントカバー９と組み合わされている。また、バックカバー８は吸気口１８と排気口１０を備えている。
【００３０】
電気回路基板７は、プラズマディスプレイテレビ内に大小合わせて６〜１０枚程度搭載されている。その内訳は、画像処理等を行う制御回路、チューナ、電源基板などである。
【００３１】
スペーサー４４は、板厚０．５ｍｍのアルミ円環板で、外周部の３箇所にはビス１９が通る穴が開いている。スペーサー４４は、プラズマディスプレイテレビ筐体内でのシャーシ１と遠心ファンユニット３との位置決めに使用する。
【００３２】
次に、遠心ファンユニット３について図２から図４を用いて説明する。図２のように、遠心ファンユニット３は、ファンモータ４と、ファン回転部１２から構成される。
【００３３】
図３を用いてファンモータ４に関連する構成部材を説明する。ファンモータ４は、モータ固定部２１と、モータ回路基板２２と、コイル２３と、鉄心２４と、ラジアル軸受け部２７と、スラスト軸受け部３５と、ラジアル軸受け挿入孔６５と、鉄心取り付け円筒面６６と、モータ回路基板受け面６７とから構成される。遠心ファンユニット３の静音性を長期間にわたって保たせるため、ラジアル軸受け部２７は含油系の流体軸受け方式を採用する。
【００３４】
最初にモータ固定部２１は、アルミ丸棒を機械加工で削りだして直径の異なる複数の円筒面を有するフランジに形成する。モータを形成する上で鉄心２４とラジアル軸受け部２７の同芯度は重要であるから、モータ固定部２１はラジアル軸受け挿入孔６５と鉄心取り付け円筒面６６をアルミ丸棒から同時加工で削り出して作る。モータ固定部２１の底面には円形凹部が削り出されており、コイン型磁石のスラスト軸受け部３５が円形凹部に接着剤で固定される。モータ固定部２１の最も下のフランジには、ビス１９が通るための穴が３箇所開いている。続いてラジアル軸受け挿入孔６５にラジアル軸受け部２７を挿入し、接着剤で固定する。ラジアル軸受け部２７は鋳鉄を焼結した材料なので材料内にたくさんの隙間があり、この隙間に潤滑油が保持されている。モータ回路基板２２をモータ回路基板受け面６７に接着剤にて固定する。鉄心２４はＳＳ４００で作られており、これをモータ固定部２１の鉄心取り付け円筒面６６に挿入し高さを調整して接着剤で固定する。鉄心２４には銅線のコイル２３を巻く。これでファンモータ４となる。
【００３５】
図４を用いてファン回転部１２に関連する構成部材を説明する。ファン回転部１２は、図４のようにファン羽根２９と、磁石２５と、バックヨーク２６と、回転軸２８とから構成される。ファン羽根２９の内側に、磁石２５と、ＳＳ４００で作ったバックヨーク２６と、ＳＵＳ４３０系で作った回転軸２８とを同芯上に整列させて接着剤にて固定する。回転軸２８の円筒表面には略くの字の細い動圧溝が転造工法にて彫られている。
【００３６】
こうして構成されたファン回転部１２の回転軸２８を、図２で示すように、ラジアル軸受け部２７の穴に勘合挿入する。ラジアル軸受け部２７に保持されている潤滑油は焼結材の隙間からにじみ出し回転軸２８のくの字の動圧溝に入って潤滑油膜を作る。モータ回転部１２が回転すると潤滑油膜には大きな油圧が発生して、ラジアル軸受け部２７と回転軸２８とが非接触に保たれる。
【００３７】
なお回転軸２８は磁性を帯びたＳＵＳ３０４であり、モータ固定部２１の底面にあるスラスト軸受け部３５は磁石なので、スラスト軸受け部３５の吸引力によって回転軸２８を含むファン回転部１２はラジアル軸受け部２７から抜けることはない。
【００３８】
次に図５を用いて送風ダクト３１を説明する。送風ダクト３１はポリカーボネートなどのプラスチック材料で成型されており、吸い込み口３８と、吐き出し口３９と、板状ファンケーシング３４とから構成される。送風ダクト３１は、シャーシ１上に設けられた送風ダクト固定用のビス締めボス４０にビス１９により固定されている。なお吸い込み口３８の穴の中心軸は、ファン回転部１２がシャーシ１に取り付けられたときの回転軸２８と同心となるようビス締めボス４０を配置している。板状ファンケーシング３４の中央に設けた吸い込み口３８の形状は外半径がｒ２で内半径ｒ１であり、ファン羽根２９の半径は吸い込み口３８の内半径ｒ１より大きく、吸い込み口３８の外半径ｒ２より小さい。
【００３９】
引き続き図５を用いて、外囲ファンケーシング３０を説明する。まずシャーシ１のビス締めボス４１の上に、スペーサー４４のビス貫通用穴が一致するように置き、さらにファンモータ４のビス貫通用穴がビス締めボス４１の上に来るよう置き、最後にビス１９にてファンモータ４とスペーサー４４をシャーシ１に固定する。つまり、シャーシ１をファンモータ４のモータベースとして使用している。外囲ファンケーシング３０は、ファンモータ４がシャーシ１に取り付けられたときの回転軸２８の位置を中心に円弧形状を持つ概Ｕの字の曲板であり、ポリカーボネートなどのプラスチックで成型されている。外囲ファンケーシング３０の円弧部分はモータ回転軸２８をはさんで送風ダクト３１と反対側に位置しており、ビス１９によりシャーシ１に備えたビス締めボス４２に固定される(図６参照)。外囲ファンケーシング３０の内半径は、シャーシ１上で板状ファンケーシング３４と隙間なく組み合わさるように板状ファンケーシング３４の外半径ｒ２と同じとしている。
【００４０】
引き続き図５を用いて、遠心ファンユニット３をシャーシ１に組み立てる工程を説明する。まずシャーシ１のビス締めボス４１の上に、スペーサー４４のビス貫通用穴が一致するように置き、さらにファンモータ４のビス貫通用穴がビス締めボス４１の上に来るよう置き、最後にビス１９にてファンモータ４とスペーサー４４をシャーシ１に固定する。続いて送風ダクト３１の吸い込み口３８をファンモータ４に通しながらシャーシ１条のビス締めボス４１に置き、ビス１９で送風ダクト３１をシャーシ１に固定する。次にファン回転部１２の回転軸２８をファンモータ４のラジアル軸受け部２７に挿入する。最後に外囲ファンケーシング３０を送風ダクト３１と合わさるようシャーシ１上のビス締めボス４２にビス１９で固定する。
【００４１】
図６はシャーシ１上に組み立てられた遠心ファンユニット３を用いたプラズマディスプレイテレビ放熱機構の概略斜視図である。シャーシ１の上方には鉄製のバックカバー８があり、ビス１９によりシャーシ１へ締結される。バックカバー８の排気口１０は、送風ダクト３１に設けられた吐き出し口３９と勘合し、プラズマディスプレイテレビ内で加熱された空気を排気する流路になる。部品公差と組立公差により生じる吐き出し口３９とバックカバー８の排気口１０との隙間対策として、前記隙間にスポンジクッションを挟みこみ隙間を塞いでいる（図は省略）。
【００４２】
次に実施の形態１における熱の流れについて、図１、図５を用いて説明する。図１において遠心ファンユニット３はプラズマディスプレイテレビの上部、かつ、シャーシ１のバックカバー側に複数個設置される。電気回路基板７は遠心ファンユニット３の下側に設置する。遠心ファンユニット３のファン回転部１２が回転すると、冷たい空気がバックカバー８の吸気口１８からプラズマディスプレイテレビの中に入り、シャーシ１とバックカバー８の間を遠心ファンユニット３に向かって上昇する。空気が上昇する過程において発熱している電気回路基板７とシャーシ１を冷却しながら遠心ファンユニット３に向かって上昇していく。遠心ファンユニット３に到達した空気は、外囲ファンケーシング３０により真っ直ぐ上昇できず、板状ファンケーシング３４と溝３２の隙間を上昇し、図５に示す吸い込み口３８から遠心ファンユニット３の内部に進行する。空気はファン回転部１２の回転により外囲ファンケーシング３０の内壁に沿って旋回しながら、最終的に送風ダクト３１の吐き出し口３９を通り、図１に示したバックカバー８の排気口１０からプラズマディスプレイテレビの外へ排気される。
【００４３】
上記実施形態１のようにプラズマディスプレイテレビのシャーシ１とバックカバー８を利用して遠心ファンユニット３を作ると、図１１で示す従来の遠心ファンユニット１０３と比較してファンケーシング１４８の厚みが減るためファン回転部１２と静止している構成部品（シャーシ１、バックカバー８）との隙間が広くなる。図１１に示す従来の遠心ファンユニット１０３の場合、遠心ファンユニット１０３をシャーシ１０１に取り付けるためのビス締めボス１４５の位置は、回転するファン羽根１２９より外側になり、そのためモータ固定部２１からシャーシ１への取り付け位置まで板材（ファンケーシング１４８）を伸ばす必要があった。しかし、本発明の実施の形態１では、図２に示すように、ファン羽根２９の内側において、モータ固定部２１とシャーシ１を取り付けるビス締めボス４１を確保できるので図１１の従来の遠心ファンユニット１０３のファンケーシング１４８が不要となる。同時に従来技術の遠心ファンユニット１０３で設けていたファン羽根１２９とファンケーシング１４８との隙間も不要となる。さらに図２における板状ファンケーシング３４はビス締めボス４１の取り付け面の高さと同一にする必要がなく、板状ファンケーシング３４が溝３２に埋まる構成としている。よって実施の形態１のファン羽根２９と静止部である板状ファンケーシング３４との隙間は、従来技術のファン羽根１２９と静止部であるファンケーシング１４８との隙間より拡げることができる。
【００４４】
また実施の形態１ではバックカバー８を図１１の従来の遠心ファンユニット１０３のファンケーシング１６８の代替品としており、図１１で示すファンケーシング１６８も不要である。ファン羽根２９と静止部であるバックカバー８との隙間は、従来技術のファン羽根１２９と静止部であるファンケーシング１６８との隙間より広くすることができる。
【００４５】
図１０の従来の遠心ファンユニット１０３と比較して実施の形態１の遠心ファンユニット３で得られる隙間の概算値は、ファンケーシング１６８の板厚約１.５ｍｍ、ファン羽根１２９とファンケーシング１６８との隙間０．７ｍｍ、シャーシ１とファンケーシング１４８の隙間０．７ｍｍの合計２．９ｍｍ程度となる。プラズマディスプレイテレビの筐体厚みが３０ｍｍに近づく今日においては２．９ｍｍの新たな隙間は設計上有効である。また、スペーサー４４は板状ファンケーシング３４とファン羽根２９との隙間を調整するためのもであって、スペーサー４４の厚みは前記の合計隙間２．９ｍｍとは関係しない。
【００４６】
これらのことから、図２のように、ファン羽根２９と板状ファンケーシング３４との隙間と、およびファン羽根２９とバックカバー８との隙間が拡大するので、プラズマテレビのような平面型ディスプレイテレビの更なる薄型化においても、ファン羽根２９の周辺の隙間が拡大することにより、薄型筐体のプラズマディスプレイテレビを起動するときに遠心ファンユニット３にホコリが溜まってファン回転部１２が回転しないという課題が解決できる。
【００４７】
なお本実施の形態について、プラズマディスプレイテレビとしたが、液晶ディスプレイテレビやフィールドエミッションテレビなどの平面型ディスプレイテレビとしてもよい。その場合は、筐体内のディスプレイパネルを保持するシャーシに遠心ファンユニットを配置する。
【００４８】
（実施の形態２）
本発明の実施の形態２について図７〜図８を用いて説明する。一部、図３〜図４も用いる。
【００４９】
図７は、本発明の実施の形態２における遠心ファンユニットを用いたプラズマディスプレイテレビの断面図である。図８は本発明の実施の形態２における遠心ファンユニットの構成を示す断面図である。
【００５０】
実施の形態１と実施の形態２の差異は、遠心ファンユニット３がバックカバー８に組み付けられることと、モータ配線５０を行う作業孔１５がバックカバー８に追加されたことである。つまり、バックカバー８をファンモータ４のモータベースとして使用している。その他の構成要素については実施の形態１と同じ符号を用い、説明と図を省略することがある。
【００５１】
まず、プラズマディスプレイテレビの構成について説明する。図７のように、プラズマディスプレイテレビは、保護ガラス１３と、フロントカバー９と、バックカバー８と、シャーシ１と、フロントパネル６と、バックパネル５と、電気回路基板７と、電気配線５０と、コネクタ凸部５１と、コネクタ凹部５２と、外囲ファンケーシング３０と、送風ダクト３１と、遠心ファンユニット３とから構成されている。
【００５２】
次に、遠心ファンユニット３は、図８に示すようにファンモータ４と、ファン回転部１２から構成される。ファンモータ４は、図３と同じ構成であり、モータ固定部２１と、モータ回路基板２２と、コイル２３と、鉄心２４と、ラジアル軸受け部２７と、スラスト軸受け３５と、ラジアル軸受け挿入孔６５と、鉄心取り付け円筒面６６と、モータ回路基板受け面６７とから構成される。ラジアル軸受け部２７とモータ回路基板２２と鉄心２４とコイル２３とスラスト軸受け部３５は、それぞれに接着剤でモータ固定部２１に取り付けられる。それからファンモータ４は、カシメ工法でバックカバー８に固定されたビス締めボス４３に、ビス１９で取り付けられる。なおテレビ筐体に遠心ファンユニット３が取り付けられた時に、ファン羽根２９の内側に位置するようにビス締めボス４３はバックカバー８へ固定される。
【００５３】
ファン回転部１２は、図４と同じ構成であり、ファン羽根２９と、磁石２５と、バックヨーク２６と、回転軸２８とから構成される。ファン羽根２９の内側には、磁石２５とバックヨーク２６と回転軸２８は同心となるように整列され、接着剤でファン羽根２９へ取り付けられる。
【００５４】
それから回転軸２８を含むファン回転部１２を、ファンモータ４に取り付けたラジアル軸受け部２７に勘合挿入する。回転軸２８は磁性を帯びたＳＵＳ３０４であり、スラスト軸受け部３５は磁石なので、スラスト軸受け部３５の吸引力によってファン回転部１２はファンモータ４から抜けることはない。
【００５５】
再び図７を用いて、電気配線５０他を説明する、電気配線５０はモータ回路基板２２と電気回路基板７とを結び、先端にコネクタ凸部５１が取り付けられている。コネクタ凸部５１のペアとしてコネクタ凹部５２が電気回路基板７に設けられ、これらの２つのコネクタが勘合して電気的に結線される。作業孔１５はコネクタの勘合作業を行うための直径３ｃｍの孔であり、勘合作業が終わればシール１４で塞がれる。
【００５６】
次に送風ダクト３１は、吸い込み口３８と、吐き出し口３９と、板状ファンケーシング３４とから構成される（図省略）。送風ダクト３１の目的は、遠心ファンユニット３から吐き出される空気を排気口１０に誘導することである。空気が遠心ファンユニット３の回転中心部に吸い込まれるように、吸い込み口３８の内径はファン羽根２９の直径より小さくする。部品公差と組立公差により吐き出し口３９と排気口１０との隙間が発生するので、スポンジクッションを挟み込み前記隙間を塞ぐ（図は省略）。
【００５７】
溝３２は、バックカバー８のシャーシ１側の面に彫られた円環形状の凹部である。バックカバー８に遠心ファンユニット３が設置された時の回転軸２８の位置に、溝３２の円環の中心軸を合わせている。なお溝３２の円環形状の凹部の深さは、シャーシ１の機械的強度に支障ない範疇として０．７ｍｍとした。
【００５８】
外囲ファンケーシング３０は、実施の形態１と同じく、遠心ファンユニット３の回転軸２８を中心に円弧形状を持つ概Ｕの字の曲板であり、外囲ファンケーシング３０の円弧部分は回転軸２８をはさんで送風ダクト３１と反対側に位置しており、ビス１９によりビス締めボス４２に固定される。
【００５９】
実施の形態２における熱の流れは実施の形態１と同様なので説明を省略する。
【００６０】
前記のようにプラズマディスプレイテレビのバックカバー８とシャーシ１を利用して遠心ファンユニット３を作ると、図１１で示す従来技術の遠心ファンユニット１０３と比較してファンケーシングが減るので、プラズマディスプレイテレビの筐体内に新たな隙間が得られる。従来技術においては、モータ固定部１２１をシャーシ１０１に取り付けるビス締めボス１４５の位置は回転するファン羽根１２９より外側になるため、モータ固定部１２１からシャーシ１への取り付け位置までファンケーシング１４８の板材を伸ばす必要があった。これに対して実施の形態２では、モータ固定部２１とバックカバー８とを取り付けるためのビス締めボス４３がファン羽根２９の内側に確保でき、図１１で示したファンケーシング１４８が不要である。これら結果から、ファン羽根２９と板状ファンケーシング３４との隙間、ファン羽根２９とバックカバー８との隙間が広くなる。これらの隙間の概算値は本発明の実施の形態１と同じ２．９ｍｍなので説明は省略する。こうしてファン羽根２９周辺の隙間が拡大することにより、プラズマディスプレイテレビを起動するときに遠心ファンユニット３にホコリが溜まらないので、ファン回転部１２が回転しないという課題が解決できる。
【産業上の利用可能性】
【００６１】
本発明にかかる平面型ディスプレイテレビ用放熱機構は、空冷ファンのファン回転部とファンモータ部の隙間を大きく出来るので隙間にホコリ堆積して空冷ファンが回転できないトラブルを解消できる。特に薄型のプラズマディスプレイテレビでは空冷ファンが薄くなり、本発明は有用である。
【図面の簡単な説明】
【００６２】
【図１】本発明の実施の形態１における遠心ファンユニットを用いたプラズマディスプレイテレビの断面図
【図２】本発明の実施の形態１における遠心ファンユニットの構成要素を説明するファンユニットの断面図
【図３】本発明の実施の形態１における遠心ファンユニットのファンモータを構成要素に分解した斜視図
【図４】本発明の実施の形態１における遠心ファンユニットのファン回転部を構成要素に分解した斜視図
【図５】本発明の実施の形態１における遠心ファンユニットを構成要素に分解した斜視図
【図６】本発明の実施の形態１における遠心ファンユニットの組立て斜視図
【図７】本発明の実施の形態２における遠心ファンユニットを用いたプラズマディスプレイテレビの断面図
【図８】本発明の実施の形態２における遠心ファンユニットの構成要素を説明するプラズマディスプレイテレビの断面図
【図９】従来のプラズマディスプレイテレビにおいて軸流ファンユニットで空冷する構成要素を説明するプラズマディスプレイテレビの断面図
【図１０】従来のプラズマディスプレイテレビにおいて遠心ファンユニットで空冷する構成要素を説明するプラズマディスプレイテレビの断面図
【図１１】従来の遠心ファンユニットのファンモータの構成要素を説明するファンモータの断面図
【符号の説明】
【００６３】
１    シャーシ
３    遠心ファンユニット
４    ファンモータ
５    バックパネル
６    フロントパネル
７    電気回路基板
８    バックカバー
９    フロントカバー
１０    排気口
１２    ファン回転部
１３    保護ガラス
１４    シール
１５    作業孔
１８    吸気口
１９    ビス
２１    モータ固定部
２２    モータ回路基板
２３    コイル
２４    鉄心
２５    磁石
２６    バックヨーク
２７    ラジアル軸受け部
２８    回転軸
２９    ファン羽根
３０    外囲ファンケーシング
３１    送風ダクト
３２    溝
３４    板状ファンケーシング
３５    スラスト軸受け部
３８    吸い込み口
３９    吐き出し口
４０    ビス締めボス
４１    ビス締めボス
４２    ビス締めボス
４３    ビス締めボス
４４    スペーサー
５０    電気配線
５１    コネクタ凸部
５２    コネクタ凹部
５５    空気流れベクトル
６５    ラジアル軸受け挿入孔
６６    鉄心取り付け円筒面
６７    モータ回路基板受け面
６８    ファンケーシング
【図１】
2011166189.tif 000003
【図２】
2011166189.tif 000004
【図３】
2011166189.tif 000005
【図４】
2011166189.tif 000006
【図５】
2011166189.tif 000007
【図６】
2011166189.tif 000008
【図７】
2011166189.tif 000009
【図８】
2011166189.tif 000010
【図９】
2011166189.tif 000011
【図１０】
2011166189.tif 000012
【図１１】
2011166189.tif 000013